【手続補正書】
【提出日】平成27年3月17日(2015.3.17)
【手続補正１】
【補正対象書類名】特許請求の範囲
【補正対象項目名】全文
【補正方法】変更
【補正の内容】
【特許請求の範囲】
【請求項１】
スライド上に戴置された１つ以上の組織サンプルを処理するための自動化されたシステムであって、
コントローラと、
スライドの少なくとも１つを受け入れるように構成された複数のスライド処理モジュールと、
少なくとも１つの流体注入ロボットであって、コントローラにより、複数の試薬を、少なくとも１つの流体注入ロボットに設置された出力ノズルを経由して、スライド処理モジュールに受け入れられた前記スライドの少なくとも１つに注入し、前記１つ以上の組織サンプルをそれぞれ処理するように構成された流体注入ロボットと、
前記試薬を、前記試薬を含む複数の試薬容器から、少なくとも１つの流体注入ロボットの出力ノズルに送給するための少なくとも１つのポンプ手段とを備え、
少なくとも１つの流体注入ロボットは、コントローラにより、前記試薬を、スライド処理モジュールの各々について予め定めた順序で注入し、スライドの各々に戴置された１つ以上の組織サンプルを独立に処理するように構成される、システム。
【請求項２】
少なくとも１つの流体注入ロボットは、少なくとも１つのバルク流体ロボット（ＢＦＲ）を備え、該バルク流体ロボットは、コントローラにより、複数の試薬を、少なくとも１つのＢＦＲに設置された出力ノズルを経由して、スライド処理モジュールに受け入れられた前記スライドの少なくとも１つに注入し、前記１つ以上の組織サンプルをそれぞれ処理するように構成される、請求項１記載のシステム。
【請求項３】
少なくとも１つのポンプ手段は、複数のポンプ手段と、複数の試薬ラインとを備え、
前記ポンプ手段の各々が、前記試薬を、前記試薬を含む複数の試薬容器から、少なくとも１つのＢＦＲに設置された出力ノズルに送給するために、複数の試薬の各々と関連付けられ、
複数の試薬ラインは、複数の試薬の各々と関連付けられ、試薬容器の各々から個々のポンプ手段を経由して少なくとも１つのＢＦＲに延びており、
必要に応じて、少なくとも１つのＢＦＲは、２つ以上のＢＦＲを備え、複数のポンプ手段は、複数の試薬の各々およびＢＦＲの各々と関連付けられたポンプ手段を備える、請求項２記載のシステム。
【請求項４】
少なくとも１つの流体注入ロボットは、流体移送プローブ（ＦＴＰ）ロボットを備え、該流体移送プローブロボットは、コントローラにより、複数の高価値試薬を、ＦＴＰロボットに設置されたＦＴＰノズルを経由して、スライド処理モジュールに受け入れられた前記スライドの少なくとも１つに注入し、前記１つ以上の組織サンプルをそれぞれ処理するように構成される、請求項１〜３のいずれかに記載のシステム。
【請求項５】
少なくとも１つのＢＦＲ及び／又はＦＴＰロボットは、コントローラにより、前記試薬及び／又は前記高価値試薬を前記予め定めた順序で注入し、予め定めた染色手順に従って、スライドの各々に戴置された前記１つ以上の組織サンプルを独立に染色するように構成される、請求項２または３に従属したときの請求項４記載のシステム。
【請求項６】
ＦＴＰロボットは、前記予め定めた順序に従って、前記高価値試薬を含む複数の高価値試薬容器から、ＦＴＰノズルへまたはＦＴＰノズルから前記高価値試薬を吸引し注入するように構成された、第１シリンジポンプ手段および第２シリンジポンプ手段を備える、請求項４または５記載のシステム。
【請求項７】
第１シリンジポンプ手段および第２シリンジポンプ手段は、直列に配置され、そして、第１および第２シリンジポンプ手段が前記高価値試薬を独立に吸引し注入するように動作可能なバイパス弁を備える、請求項６記載のシステム。
【請求項８】
第１シリンジポンプ手段および第２シリンジポンプ手段は、並列に配置され、第１および第２シリンジポンプ手段が、前記高価値試薬を独立に吸引し注入するように構成される、請求項６記載のシステム。
【請求項９】
ＦＴＰロボットはさらに、コントローラにより、複数の試薬容器からＦＴＰノズルを経由して複数の試薬を注入するように構成される、請求項４〜８のいずれかに記載のシステム。
【請求項１０】
ＦＴＰロボットはさらに、コントローラにより、下記ａ）およびｂ）の一方または両方を行うように構成される、請求項４〜９のいずれかに記載のシステム。
ａ）ＦＴＰロボットに搭載された搬送装置を用いて、前記スライドを入力バッファモジュールからスライド処理モジュールに移動させ、スライドを取り外し可能に保持する。
ｂ）前記スライドをスライド処理モジュールから出力バッファモジュールに移動させる。
【請求項１１】
スライドは、入力および出力バッファモジュールにおける１つ以上のスライドラックに戴置され、そして、ＦＴＰロボットはさらに、コントローラにより、スライドを、入力および出力バッファモジュールにおけるスライドラックとスライド処理モジュールとの間で移動させるように構成され、
必要に応じて、ＦＴＰロボットはさらに、コントローラにより、スライドラック内の前記スライドを、入力および出力モジュールと、スライド上に戴置された１つ以上の組織サンプルを処理するための追加モジュールとの間で移動させるように構成され、
必要に応じて、ＦＴＰロボットはさらに、コントローラにより、搬送装置を用いて、前記スライドラックを、入力および出力モジュールと追加モジュールとの間で移動させ、スライドラックを取り外し可能に保持するように構成される、請求項１０記載のシステム。
【請求項１２】
下記ａ）およびｂ）の一方または両方を行うための検知手段をさらに備える、請求項２〜１１のいずれかに記載のシステム。
ａ）少なくとも１つのＢＦＲによって注入された前記試薬の量を検知する。
ｂ）ＦＴＰロボットで注入された前記高価値試薬の量を検知する。
【請求項１３】
スライド上に戴置された１つ以上の組織サンプルを処理する自動化された方法であって、
複数のスライド処理モジュールにおいて、スライドの少なくとも１つを受け入れるステップと、
少なくとも１つのポンプ手段を用いて、複数の試薬を、前記試薬を含む複数の試薬容器から少なくとも１つの流体注入ロボットの出力ノズルに送給するステップと、
複数の試薬を、スライド処理モジュールの各々について予め定めた順序で、少なくとも１つの流体注入ロボットに設置された出力ノズルを経由して、スライド処理モジュールに受け入れられた前記スライドの少なくとも１つに注入し、これによりスライドの各々に戴置された１つ以上の組織サンプルを独立に処理するステップと、を含む方法。
【請求項１４】
スライド上に戴置された１つ以上の組織サンプルを処理するための自動化組織サンプル処理装置であって、
スライドの少なくとも１つを受け入れるように構成された複数のスライド処理モジュールと、
少なくとも１つの流体注入ロボットであって、コントローラにより、複数の試薬を、少なくとも１つの流体注入ロボットに設置された出力ノズルを経由して、スライド処理モジュールに受け入れられた前記スライドの少なくとも１つに注入し、前記１つ以上の組織サンプルをそれぞれ処理するように構成された流体注入ロボットと、
前記試薬を、前記試薬を含む複数の試薬容器から、少なくとも１つの流体注入ロボットの出力ノズルに送給するための少なくとも１つのポンプ手段とを備え、
少なくとも１つの流体注入ロボットは、コントローラにより、前記試薬を、スライド処理モジュールの各々について予め定めた順序で注入し、スライドの各々に戴置された１つ以上の組織サンプルを独立に処理するように構成される、装置。